(57)【要約】【課題】前面保守タイプと後面保守タイプのいずれの現金自動取引装置にも、設置場所を制限せずに、同じ機構を用いて容易に対応することができる紙幣搬送機構を提供する。【解決手段】入出金口と接続する上部搬送路を有する上部ユニットと、複数の紙幣カセットに接続する下部搬送路を有する下部ユニットと、上部ユニットと下部ユニットとの間に設け、上部搬送路と下部搬送路とを連結する連結搬送路を有する連結ユニットとを備え、上部ユニットの下面の中央に設けた上部搬送路の受渡端を、連結ユニットの上面の中央に設けた連結搬送路の受渡端に対向させ、連結ユニットの下面の端部に設けた連結搬送路の受渡端を、下部ユニットの上面の端部に設けた下部搬送路の受渡端に対向させて配置する。下部ユニットと連結ユニットの装填方向は前後入替えが可能であり、現金自動取引装置の保守の方向に応じて、これらのユニットの紙幣搬送機構への装填方向を入替える。【選択図】  図１
2004258972.tif 000002
【特許請求の範囲】
【請求項１】
入出金口と接続する上部搬送路を有する上部ユニットと、少なくとも１つ以上の紙幣カセットに接続する下部搬送路を有する下部ユニットと、前記上部ユニットと前記下部ユニットとの間に設けられ、前記上部搬送路と前記下部搬送路とを連結する連結搬送路を有する連結ユニットとを備え、
前記連結ユニットに設けた連結搬送路の受渡端を、前記上部ユニットに設けた上部搬送路の受渡端に対向させ、前記連結ユニットに設けた連結搬送路の受渡端を、前記下部ユニットに設けた下部搬送路の受渡端に対向させて配置することにより、
前記下部ユニットと前記連結ユニットの装填方向を入替え可能としたことを特徴とする紙幣搬送機構。
【請求項２】
請求項１において、
前記連結搬送路は、前記上部搬送路の駆動源により駆動されることを特徴とする紙幣搬送機構。
【請求項３】
請求項１または請求項２において、
前記下部ユニットと前記連結ユニットの装填方向を保守の方向に応じて入替え可能としたことを特徴とする紙幣搬送機構。
【発明の詳細な説明】
【０００１】
【発明の属する技術分野】
本発明は、金融機関やコンビニエンスストア等に設置される現金自動取引装置や現金処理機等の自動取引装置における紙幣搬送機構に関する。
【０００２】
【従来の技術】
従来の自動取引装置の保守は、後面から紙幣カセットの脱着を行う後面保守タイプとした場合、後面から紙幣カセットをそのまま自動取引装置から脱着し、前面から紙幣カセットの脱着を行う前面保守タイプとした場合は、紙幣カセットにスライド機構を設け、前面から紙幣搬送機構自体を一旦引出し、紙幣カセットをそのスライド機構により、紙幣搬送機構を引出した方向と直交方向に紙幣カセットをスライドさせて脱着を行っている。（例えば、特許文献１参照。）
【０００３】
【特許文献１】
実開平５−９２８７４号公報（第１４頁
【００３３】−第１６頁
【００４０】、第１図−第４図）
【０００４】
【発明が解決しようとする課題】
しかしながら、上記の従来の技術においては、自動取引装置の前面から紙幣カセットの脱着を行う場合、前面から紙幣搬送機構を自動取引装置から引出した後に、紙幣カセットをスライドさせて脱着を行わなければならないため、紙幣カセットをスライドさせるためのスライド機構やそのための空間が必要となり、操作性が劣ると共に装置が大型となって、設置場所が制限されるという問題がある。
【０００５】
そこで本発明は、前面保守タイプまたは後面保守タイプのいずれの保守タイプの自動取引装置に装填する場合においても、設置場所を制限せずに同じ機構を用いて容易に対応することができる紙幣搬送機構を提供することを目的とする。
【０００６】
【課題を解決するための手段】
本発明は、上記課題を解決するために、入出金口と接続する上部搬送路を有する上部ユニットと、少なくとも１つ以上の紙幣カセットに接続する下部搬送路を有する下部ユニットと、上部ユニットと下部ユニットとの間に設けられ、上部搬送路と下部搬送路とを連結する連結搬送路を有する連結ユニットとを備え、連結ユニットに設けた連結搬送路の受渡端を、上部ユニットに設けた上部搬送路の受渡端に対向させ、連結ユニットに設けた連結搬送路の受渡端を、下部ユニットに設けた下部搬送路の受渡端に対向させて配置することにより、下部ユニットと連結ユニットの装填方向を入替え可能としたことを特徴とする。
【０００７】
【発明の実施の形態】
以下に、図面を参照して本発明による実施の形態例を説明する。
図１は本発明の実施の形態例の前面保守タイプの現金自動取引装置の側面図、図２は本発明の実施の形態例の後面保守タイプの現金自動取引装置の側面図、図３は本発明の実施の形態例の連結ユニットの斜視図、図４は本発明の実施の形態例の連結ユニットの側面図である。
【０００８】
図１、図２において、１は自動取引装置としての現金自動取引装置である。
２は紙幣搬送機構であり、現金自動取引装置１内に装填されている。
３は紙幣搬送機構２の上部ユニットであり、紙幣搬送機構２の上部に配置されている。
４は上部ユニット３内に設けられた鑑別部であり、入出金される紙幣の金種、正損、真偽等を鑑別する。
【０００９】
５は上部ユニット３内に設けられたリジェクトカセットであり、出金作動時に鑑別部４で異常と鑑別された紙幣や顧客が入出金口６から取り忘れた紙幣等を収納する。
７は上部ユニット３内に設けられた上部搬送路であり、鑑別部４とリジェクトカセット５と入出金口６とを接続している。
【００１０】
８は紙幣搬送機構２の下部ユニットであり、紙幣搬送機構２の下部に配置されている。
９は紙幣カセットであり、下部ユニット８に少なくとも１つ以上（図１および図２では、紙幣の金種別に４個）設けられており、入金された紙幣および出金のための紙幣を収納する。
【００１１】
１０は下部ユニット８内に設けられた下部搬送路であり、各紙幣カセット９に接続している。
１１は連結ユニットであり、上部ユニット３と下部ユニット８との間に設けられている。
１２は連結ユニット１１内に設けられた連結搬送路である。
【００１２】
１３は連結ユニット１１の上面の中央に設けた連結搬送路１２の受渡端であり、上部ユニット３の下面の中央に設けた上部搬送路７の受渡端１４と対向して配置されており、連結搬送路１２を搬送された紙幣を上部搬送路７の受渡端１４に受け渡すと共に、上部搬送路７を搬送された紙幣を受渡端１４から受け取るよう構成される。
【００１３】
１５は連結ユニット１１の下面の端部に設けた連結搬送路１２の受渡端であり、下部ユニット８の上面の端部に設けた下部搬送路１０の受渡端１６と対向して配置されており、連結搬送路１２を搬送された紙幣を下部搬送路１０の受渡端１６に受け渡すと共に、下部搬送路１０を搬送された紙幣を受渡端１６から受け取るよう構成される。
【００１４】
１７は搬送ロ−ラであり、上部搬送路７、下部搬送路１０および連結搬送路１２に所定の間隔をもって配置されている。
なお、紙幣を搬送する手段は、搬送ロ−ラ１７に限らず搬送プ−リと無端の歯付ベルト等の駆動ベルトとの組合せを用いるようにしてもよい。
１８は前面保守タイプの現金自動取引装置１の前面に設けられた前部扉である。
【００１５】
１９は後面保守タイプの現金自動取引装置１の後面に設けられた後部扉である。
図３、図４において、３０は固定孔であり、連結ユニット１１を前後入替えても同一の位置となるように配置されており、連結ユニット１１は固定孔３０でボルト等により紙幣搬送機構２に固定される。
【００１６】
３１ａ、３１ｂは動力伝達ギアであり、連結ユニット１１を前後入替えても同一の位置となるように配置されており、前面保守タイプの現金自動取引装置１の場合、動力伝達ギア３１ａは連結ユニット１１の上面の窓部３２ａで図示しない上部搬送路駆動源により駆動される連結搬送路駆動ギア３３と噛合って、上部搬送路駆動源の動力を連結搬送路１２の搬送ロ−ラ１７に伝達する。
【００１７】
また、後面保守タイプの現金自動取引装置１の場合、連結ユニット１１は前後が入替えられ、動力伝達ギア３１ｂが連結ユニット１１の上面の窓部３２ｂで連結搬送路駆動ギア３３と噛合うようになっている。
なお、連結ユニット１１の連結搬送路１２の駆動源は、上部搬送路駆動源ではなく、下部搬送路１０の駆動源を用いるようにしてもよく、連結ユニット１１内に独自の駆動源を設けてもよい。
【００１８】
なお、上部搬送路７、下部搬送路１０および連結搬送路１２には、複数の図示しない搬送監視センサが所定の位置に設けられており、紙幣の搬送を監視している。
なお、連結ユニット１１の上面の一箇所に孔または凹部を設け、上部ユニット３のこの孔または凹部に対向する位置に押しボタンが位置するように押しボタン式のセンサを設け、連結ユニット１１を前後入替えた場合に、連結ユニット１１の上面による押しボタンの押下の有無によって、連結ユニット１１の紙幣搬送機構２への装填方向を検出するようにしてもよい。
【００１９】
ここで、前面保守タイプおよび後面保守タイプのそれぞれの現金自動取引装置１における、紙幣搬送機構２への連結ユニット１１と下部ユニット８の装填状態について説明する。
図１に示す前面保守タイプの現金自動取引装置１の場合は、連結ユニット１１および下部ユニット８は、紙幣カセット９を前面から引出す際に、紙幣カセット９が下部搬送路１０に突当たらないように、下部搬送路１０が現金自動取引装置１の後面に位置するように紙幣搬送機構２に装填されている。
【００２０】
そして、上記した如く、図３、図４に示すように、連結ユニット１１に設けられた動力伝達ギア３１ａは、図示しない上部搬送路駆動源により駆動される連結搬送路駆動ギア３３と噛合っており、上部搬送路駆動源の動力を連結搬送路１２の搬送ロ−ラ１７に伝達している。
これにより、前面保守タイプの紙幣搬送機構２の搬送路が形成される。
【００２１】
図２に示す後面保守タイプの現金自動取引装置１の場合は、紙幣搬送機構２に設けられた連結ユニット１１と下部ユニット８は、現金自動取引装置１に上記の場合とは前後入替えて装填されており、下部搬送路１０は現金自動取引装置１の前面に位置している。
そして、上記した如く、図３、図４に示すように、動力伝達ギア３１ａ、３１ｂは、連結ユニット１１を前後入替えても同一の位置となるように配置されており、動力伝達ギア３１ｂが連結搬送路駆動ギア３３と噛合って、図示しない上部搬送路駆動源の動力を連結搬送路１２の搬送ロ−ラ１７に伝達する。
【００２２】
これにより、上記の前面保守タイプの紙幣搬送機構２と同様に、後面保守タイプの紙幣搬送機構２の搬送路が形成される。
従って、前面保守タイプおよび後面保守タイプのいずれの現金自動取引装置１においても、上部搬送路７の受渡端１４は、紙幣を連結搬送路１２の受渡端１３に受け渡し可能な状態を保持している。
【００２３】
次に、上述した構成による入金時の作動について説明する。
顧客は入金する紙幣を入出金口６にセットする。
セットされた紙幣は上部搬送路７を鑑別部４へ搬送され、鑑別部４により紙幣の金種、正損、真偽等の鑑別をされ、偽造紙幣等の異常と鑑別された紙幣は、上部搬送路７を逆に搬送されて入出金口６から顧客に返却される。
【００２４】
鑑別部４により正常と鑑別された紙幣は上部搬送路７を搬送され、受渡端１４で連結搬送路１２の受渡端１３に受け渡され、連結搬送路１２を搬送される。
紙幣は受渡端１５で連結搬送路１２から下部搬送路１０の受渡端１６に受け渡され、下部搬送路１０を搬送されて紙幣の金種別にそれぞれの紙幣カセット９に収容される。
【００２５】
次に、現金自動取引装置１における出金時の作動について説明する。
顧客が出金額を指定すると、各紙幣カセット９から出金額に応じた紙幣が繰出され、下部搬送路１０を搬送される。
紙幣は受渡端１６で下部搬送路１０から連結搬送路１２の受渡端１５に受け渡され、連結搬送路１２を搬送される。
【００２６】
紙幣は受渡端１３で連結搬送路１２から上部搬送路７の受渡端１４に受け渡され、上部搬送路７を鑑別部４へ搬送され、異常と鑑別された紙幣は、上部ユニット３内に設けられたリジェクトカセット５に収納される。
鑑別部４により正常な紙幣と鑑別された紙幣は上部搬送路７を搬送されて入出金口６に集積され、顧客に支払われる。
【００２７】
また、顧客が紙幣を入出金口６から取り忘れた場合は、紙幣はリジェクトカセット５に搬送されて収納される。
次に、係員が紙幣カセット９を現金自動取引装置１に脱着する場合の作用について説明する。
図１に示す前面保守タイプの現金自動取引装置１の紙幣カセット９の場合は、係員は前部扉１８を開き、下部ユニット８内に設けられた各紙幣カセット９を引出すことにより脱着を行う。
【００２８】
図２に示す後面保守タイプの現金自動取引装置１の紙幣カセット９の場合は、係員は後部扉１９を開き、前面保守タイプの現金自動取引装置１の場合と同様にして、各紙幣カセット９を引出すことにより脱着を行う。
以上説明したように、本実施の形態例では、上部ユニットと下部ユニットとの間に連結ユニットを設け、連結ユニットと下部ユニットの紙幣搬送機構への装填方向を前後入替え可能とすることにより、前面保守タイプと後面保守タイプのいずれの現金自動取引装置にも、同じ機構を用いて容易に対応することができる紙幣搬送機構を得ることができる。
【００２９】
また、これにより現金自動取引装置が設置される場所に応じて前面保守タイプと後面保守タイプを容易に変更することができ、設置場所を制限せずに現金自動取引装置を設置することができる。
さらに、前面保守タイプと後面保守タイプのいずれの現金自動取引装置にも対応が可能であるために、紙幣搬送機構の製造費用及び製造期間を削減することができる。
【００３０】
なお、自動取引装置は、現金自動取引装置に限らず、現金処理機や自動発券機等の顧客との間で紙幣を用いた取引を行う自動取引装置であればどのようなものでも、本発明の紙幣搬送機構を適用することができる。
【００３１】
【発明の効果】
以上述べたように、本発明は、上部ユニットと下部ユニットとの間に連結ユニットを設けて、連結ユニットと下部ユニットの紙幣搬送機構への装填方向を入替え可能とすることにより、前面保守タイプと後面保守タイプのいずれの現金自動取引装置にも、同じ機構を用いて容易に対応することができる紙幣搬送機構を得ることができるという効果が得られる。
【図面の簡単な説明】
【図１】本発明の実施の形態の前面保守タイプの現金自動取引装置の側面図
【図２】本発明の実施の形態の後面保守タイプの現金自動取引装置の側面図
【図３】本発明の実施の形態の連結ユニットの斜視図
【図４】本発明の実施の形態の連結ユニットの側面図
【符号の説明】
１  現金自動取引装置
２  紙幣搬送機構
３  上部ユニット
４  鑑別部
５  リジェクトカセット
６  入出金口
７  上部搬送路
８  下部ユニット
９  紙幣カセット
１０  下部搬送路
１１  連結ユニット
１２  連結搬送路
１３  受渡端
１４  受渡端
１５  受渡端
１６  受渡端
１７  搬送ロ−ラ
１８  前部扉
１９  後部扉
３０  固定孔
３１ａ  動力伝達ギア
３１ｂ  動力伝達ギア
３２ａ  窓部
３２ｂ  窓部
３３  連結搬送路駆動ギア
【図１】
2004258972.tif 000003
【図２】
2004258972.tif 000004
【図３】
2004258972.tif 000005
【図４】
2004258972.tif 000006